(57)【特許請求の範囲】
【請求項１】
ある一定の期間に時系列を追ってサンプリングされた数値データが記憶されたプラントデータ記憶部と、
前記数値データをサンプリングされた時刻の順にプロットして作成した曲線に、時間軸の方向へ移動させてサンプリング時刻を指定可能な読取りバーと、前記時間軸上の１点に複数のデータが隠れている場合、前記複数のデータの中の上限値と下限値を結ぶ線分とを重ねて示すようにしたグラフを画面へ出力するグラフ出力部と、
前記読取りバーにより前記グラフ上で指定されたサンプリング時刻を読み取る位置読取部と、
前記位置読取部により読み取られたサンプリング時刻の数値データを、前記プラントデータ記憶部から抽出し、複数の数値データが抽出された場合、前記複数の数値データを用いて求めた２つ以上の数値データを、前記グラフ上の指定されたサンプリング時刻における線分の縦方向の位置に対応させて出力する数値出力部と
を具備するプラントデータ表示装置。
【請求項２】
前記数値データを、項目と指定されたポイントの数値を設定した表の形式で出力する請求項１記載のプラントデータ表示装置。
【請求項３】
前記表は、項目の数と指定されたポイントの数の少なくとも一方が可変可能である請求項２記載のプラントデータ表示装置。
【請求項４】
前記表の中のある数値の欄が指定された場合、前記数値の欄に対応するグラフ上のポイントを強調表示する請求項２または３いずれか記載のプラントデータ表示装置。
【請求項５】
保存指示により前記表のデータを保存する保存機能と、表示指示により保存された前記表のデータを表示する機能とを有する請求項２乃至４いずれか１記載のプラントデータ表示装置。
【請求項６】
前記数値出力部は、
前記グラフを第１の表示装置へ出力する機能と、
前記グラフと前記数値データを第２の表示装置へ出力する機能と
を有する請求項１乃至５いずれか１記載のプラントデータ表示装置。
【請求項７】
前記２つ以上の数値データには、最大値、最小値が含まれる請求項１乃至６いずれか１記載のプラントデータ表示装置。
【請求項８】
前記２つ以上の数値データには、平均値、標準偏差値が含まれる請求項１乃至６いずれか１記載のプラントデータ表示装置。
【請求項９】
コンピュータを、
ある一定の期間に時系列を追ってサンプリングされた数値データが記憶されたプラントデータ記憶部と、
前記数値データをサンプリングされた時刻の順にプロットして作成した曲線に、時間軸の方向へ移動させてサンプリング時刻を指定可能な読取りバーと、前記時間軸上の１点に複数の数値データが隠れている場合、前記複数の数値データの中の上限値と下限値を結ぶ線分とを重ねて示すようにしたグラフを画面へ出力するグラフ出力部と、
前記読取りバーにより前記グラフ上で指定されたサンプリング時刻を読み取る位置読取部と、
前記位置読取部により読み取られたサンプリング時刻の数値データを、前記プラントデータ記憶部から抽出し、複数の数値データが抽出された場合、前記複数の数値データを用いて求めた２つ以上の数値データを、前記グラフ上の指定されたサンプリング時刻における線分の縦方向の位置に対応させて出力する数値出力部
として機能させるプログラム。
【請求項１０】
ある一定の期間に時系列を追ってサンプリングされた数値データをプラントデータ記憶部に記憶し、
前記数値データをサンプリングされた時刻の順にプロットして作成した曲線に、時間軸の方向へ移動させてサンプリング時刻を指定可能な読取りバーと、前記時間軸上の１点に複数の数値データが隠れている場合、前記複数の数値データの中の上限値と下限値を結ぶ線分とを重ねて示すようにしたグラフを画面へ出力し、
前記読取りバーにより前記グラフ上で指定されたサンプリング時刻を読み取り、
読み取ったサンプリング時刻の数値データを、前記プラントデータ記憶部から抽出し、複数の数値データが抽出された場合、前記複数の数値データを用いて求めた２つ以上の数値データを、前記グラフ上の指定されたサンプリング時刻における線分の縦方向の位置に対応させて出力するプラントデータ表示方法。
【発明の詳細な説明】
【技術分野】
【０００１】
本発明の実施形態は、プラントデータ表示装置、プログラムおよびプラントデータ表示方法に関する。
【背景技術】
【０００２】
例えば発電所などのプラントでは、プラントからサンプリングされたデータをグラフ化して表示するプラントデータ表示装置が使われている。
【０００３】
従来のプラントデータ表示装置は、表示画面の解像よりも細密なデータをグラフ化して表示する場合、表示画面の最小単位である１つのドットで複数のデータを表せないため、例えば指定されたドットの位置の範囲内のサンプリングされた複数のデータの中から、例えば最後のサンプリング値（最終値）などをテキストデータで表示するものがある。
【先行技術文献】
【特許文献】
【０００４】
【特許文献１】特開平８−２２６８３０号公報
【発明の概要】
【発明が解決しようとする課題】
【０００５】
しかしながら、この場合，表示されたデータは、グラフをプロットした位置のデータとは限らず、正しい値を確認することができないという問題がある。
【０００６】
本発明が解決しようとする課題は、表示画面の解像度よりもサンプリング周期を細かくしてサンプリングしたデータの中から、ユーザが指定したグラフ上の位置の正しいデータを確認することができるプラントデータ表示装置、プログラムおよびプラントデータ表示方法を提供することにある。
【課題を解決するための手段】
【０００７】
実施形態のプラントデータ表示装置は、プラントデータ記憶部、グラフ出力部、位置読取部、数値出力部を備える。前記プラントデータ記憶部にはある一定の期間に時系列を追ってサンプリングされた数値データが記憶されている。前記グラフ出力部は前記数値データをサンプリングされた時刻の順に並べて作成した曲線に、時間軸の方向へ移動させてサンプリング時刻を指定可能な読取りバーと、前記時間軸上の１点に複数の数値データが隠れている場合、前記複数の数値データの中の上限値と下限値を結ぶ線分とを重ねて示すようにしたグラフを画面へ出力する。前記位置読取部は前記読取りバーにより前記グラフ上で指定されたサンプリング時刻を読み取る。前記数値出力部は前記位置読取部により読み取られたサンプリング時刻の数値データを、前記プラントデータ記憶部から抽出し、複数の数値データが抽出された場合、前記複数の数値データを用いて求めた２つ以上の数値データを、前記グラフ上の指定されたサンプリング時刻における線分の縦方向の位置に対応させて出力する。
【図面の簡単な説明】
【０００８】
【図１】第１実施形態のプラントデータ表示装置の構成を示す図である。
【図２】プラントデータ表示装置におけるグラフの表示例を示す図である。
【図３】線グラフのヒゲの位置での数値の表示例を示す図である。
【図４】プラントデータ表示装置の動作を示すフローチャートである。
【図５】第２実施形態のプラントデータ表示装置の構成を示す図である。
【図６】第２実施形態におけるグラフと数値の表示例を示す図である。
【図７】表の他の例を示す図である。
【図８】表の他の例を示す図である。
【図９】表の他の例を示す図である。
【図１０】第３実施形態におけるグラフと数値の表示例を示す図である。
【図１１】第３実施形態におけるグラフと数値の表示例を示す図である。
【図１２】第４実施形態の読取保存ボタンの一例を示す図である。
【図１３】第４実施形態の保存情報表示ボタンの一例を示す図である。
【図１４】前回の保存内容と今回の指定内容を表示した画面の一例を示す図である。
【図１５】第５実施形態のプラントデータ表示装置の構成を示す図である。
【図１６】一方の表示装置に表示された画面の例を示す図である。
【図１７】他方の表示装置に表示された画面の例を示す図である。
【発明を実施するための形態】
【０００９】
以下、図面を参照して、実施形態を詳細に説明する。
（第１実施形態）
図１は第１実施形態のプラントデータ表示装置の構成を示す図である。
【００１０】
図１に示すように、この第１実施形態のプラントデータ表示装置は、表示制御部１３、データ検索部１５、プラントデータ記憶部１６、位置読取部１７、統計情報計算部１８、サンプリング周期計算部１９、種別情報記憶部２０、データ記憶部２１、データ処理部２２などを有している。
【００１１】
プラントデータ記憶部１６には、ある一定の期間に時系列を追ってサンプリングされた数値データが記憶されている。数値データはサンプリングされた時刻と数値との対のデータである。
【００１２】
データ処理部２２は、保存指示により画面に表示された表のデータをデータ記憶部２１に保存する保存機能と、表示指示によりデータ記憶部２１に保存された表のデータを読み出し画面に表示する機能とを有する。
【００１３】
データ記憶部２１には、保存指示された表のデータ（最大値、最小値、平均値、標準偏差の値…など）がグラフの指定位置と共に記憶される。つまりデータ記憶部２１には、線グラフの指定位置と保存データとが関連付けられて記憶される。
【００１４】
表示制御部１３は、入力装置１からグラフを表示する指示操作が行われることで、プラントデータ記憶部１６に、ある一定の期間（長期間）蓄積されたプラントデータを読み出して作成した線グラフを表示装置３の画面へ出力する。すなわち、表示制御部１３は、プラントデータから作成したグラフを画面へ出力するグラフ出力部として機能する。
【００１５】
また表示制御部１３は、プラントデータ記憶部１６のプラントデータの中から、データ検索部１５によって抽出された指定位置（グラフ上で指定されたサンプリング時刻）の数値データを、表示装置３の画面に線グラフと共に表示する。
【００１６】
位置読取部１７は、線グラフの指定位置から数値データを読み取るための位置読取機能を有しており、線グラフ上で読取バーにより指定されたサンプリング時刻を読み取る。プラントデータとは、時系列で変化するデータ、例えばタービンシャフトの軸ブレなどのデータである。この他、時系列で変化するデータであれば、他のさまざまなデータを適用対象としてもよい。
【００１７】
位置読取機能が有効になっている場合、図２に示す表示例のように、画面３１上に、プラントデータの数値のレベルとサンプリング時刻との関係を示す線グラフ３３の他に、位置読取機能が実行されたときには、時刻の軸方向（矢印Ａの方向）へ移動自在な読取バー３２と、この読取バー３２と線グラフ３３とが交じわった位置（時刻）に、数値データが表示される。
【００１８】
線グラフ３３の横軸の１ドットは、サンプリング期間（周期）に相当する。１ドットに、サンプリングされた複数のデータが隠されている場合、つまり同一のサンプリング期間（周期）内で複数の数値データが含まれる場合、線グラフ３３には、その位置のデータの上限値と下限値を結んだ縦線３３ａ（以下「ヒゲ３３ａ」と称す）が形成される。
【００１９】
読取バー３２は、線グラフ３３上のある位置を指定するためのもの、つまり数値データの読取位置を指示するための読取位置指定手段である。
【００２０】
種別情報記憶部２０には、データ種別毎のデータ読み出し条件である種別情報が予め設定されている。種別情報にはプラントデータの種類を示す識別（ＩＤ）、データのサンプリング周期（１秒、１０秒、・・・１日など）、閾値（統計情報表示基準値など）が含まれる。シャフトの軸ブレなどの振動値を測定したプラントデータにはそれ用の識別（ＩＤ）が付与される。
【００２１】
データ検索部１５は、読取バー３２の移動により指定された線グラフ３３のデータ読み取り位置に対応して、データの種別情報に含まれる、サンプリング周期（１秒、１０秒、・・・１日など）を読み込み、そのサンプリング周期毎にプラントデータ記憶部１６のプラントデータを検索し抽出する。
【００２２】
つまりデータ検索部１５は、線グラフ３３の位置が指定されることで、指定された位置に対応するサンプリング周期の範囲内の数値データ（最大値、最小値など）をプラントデータ記憶部１６から抽出する。
【００２３】
サンプリング周期計算部１９は、プラントデータの表示幅と表示期間より、横１ドットが１周期になるようにサンプリング周期を決定する。
【００２４】
統計情報計算部１８は、種別情報記憶部２０の統計情報表示基準（例えば絶対値で１０．０以上差があるなど）を満たした対象時刻（周期）のサンプリングデータのうち指定ポイントに複数のデータが存在した場合にその平均値、標準偏差などを計算し、計算結果の数値を表示制御部１３に出力すると共にデータ記憶部２１に記憶（保存）する。
【００２５】
つまり、プラントデータを抽出（選択）するだけの場合は、データ検索部１５が利用され、統計計算が必要な場合に統計情報計算部１８が利用される。
【００２６】
これら表示制御部１３、データ検索部１５、統計情報計算部１８は、位置読取部１７により読み取られたサンプリング時刻の数値データを、プラントデータ記憶部１６から抽出し、複数の数値データが抽出された場合、複数の数値データを用いて求めた２つ以上の数値データ（例えば最大値、最小値など）を、線グラフ３３上の読取バー３２で指定されたサンプリング時刻とレベルの位置に対応させて出力する数値出力部として機能する。
【００２７】
ユーザが入力装置１の一つであるマウスを用いて、読取バー３２をドラッグ操作により移動した場合、位置読取部１７はマウスの操作入力情報を受け取り、サンプリング期間のうちどの期間（範囲）のデータを表示すべきかといった対象期間を計算し、計算した対象期間の情報（範囲情報）を表示制御部１３に送る。
【００２８】
図２の例のように、ユーザが読取バー３２をヒゲ３３ａの位置（点Ｂの時刻の位置）に移動した場合、その位置は、表示画素１ドットの中に複数の数値が存在する位置、つまり最大値、最小値を表示すべき位置であり、この位置が指示された場合、図３に示すように、サンプリングされたデータのうちの、最大値３６と最小値３７などの複数の数値がそれぞれ対応する位置（ヒゲ３３ａの上部と下部に分けて）ポップアップ表示される。
【００２９】
また、この場合、検索された数値データは、統計情報表示基準と比較され、統計情報表示基準を満たしているため、予め統計情報計算部１８によって計算されている対象期間の最大値、最小値などの２つ以上の数値データが表示装置３へ出力され、表示装置３の画面３１に表示される。つまり２つ以上の数値データには、最大値、最小値が含まれる。
【００３０】
表示制御部１３は、プラントデータから作成した線グラフ３３を画面へ出力するグラフ出力部として機能する。また表示制御部１３は、数値データを、項目と指定されたポイントの数値を設定した表の形式で出力する。ここで、表は、項目の数と指定されたポイントの数の少なくとも一方が可変可能である。
【００３１】
図４を参照してこの実施形態のプラントデータ表示装置の動作を説明する。  
この実施形態の場合、入力装置１からあるプラントデータのグラフを表示するために、データ種別（ＩＤ）を指定したグラフ表示指示操作があると、データ処理部２２によりＩＤを基にプラントデータがプラントデータ記憶部１６から読み出されて、そのプラントデータを基にグラフデータが作成されてデータ記憶部２１に記憶される。
【００３２】
すると、表示制御部１３が、データ記憶部２１からグラフデータを読み出して（図４のステップＳ１０１）、表示装置３へ出力し、これにより表示装置の画面３１に、図２に示したような線グラフ３３が表示される（ステップＳ１０２）。
【００３３】
そして、ユーザが入力装置１から位置読取機能の開始操作を行い、位置読取機能を有効にすると、位置読取部１７により位置読取機能が実行され、画面３１に、図２に示した読取バー３２が表示される。具体的な位置読取機能の開始操作は、例えば画面３１上に位置読取ボタン（図示せず）などを表示して、そのボタンをクリック操作する。
【００３４】
位置読取機能を実行中、つまり位置読取部１７が読取バー３２と線グラフ３３との交差点の位置を読取中に、ユーザが入力装置１を操作して、読取バー３２を移動操作すると（ステップＳ１０３のＹｅｓ）、位置読取部１７がその位置（時刻）を計算し（ステップＳ１０４）、データ検索部１５に通知する。
【００３５】
データ検索部１５は、検索動作により指定位置の範囲（例えば１時から１時１０分）内にあるプラントテータをプラントデータ記憶部１６から読み出し（ステップＳ１０５）、そのうち、上限値（最大値）、下限値（最小値）などの数値データを抽出し（ステップＳ１０６）、表示制御部１３へ渡し、表示制御部１３が数値データを表示装置３へ出力し、図３のように画面３１に上限値（最大値）３６、下限値（最小値）３７などの数値をポップアップ表示する（ステップＳ１０７）。
【００３６】
具体的には、図３に示すように、読取バー３２が矢印Ａ１の方向に移動されて、幅１ピクセルの間に複数のデータがプロットされたヒゲ３３ａの位置、例えば点Ｂの位置に移動された場合、その１ピクセルの幅内にプロットされた数値データの縦方向の振れ幅（ヒゲ３３ａの縦方向の長さ）が予め種別情報記憶部２０に設定されている統計情報表示基準値よりも大きい場合に、ヒゲ３３ａの上限値（最大値）３６と下限値（最小値）３７などの各数値を、線グラフ３３のヒゲ３３ａの上下の対応する位置にホップアップ表示する。なおこの例以外にさらにこの指定期間における最終値や線グラフ３３と読取バー３２の交差点の値などを表示してもよい。
【００３７】
このようにこの第１実施形態によれば、長期間にわたりサンプリングしたプラントデータを線グラフ３３にして表示した際に、幅１ピクセル内に複数の点をプロットするような場合においても、位置読取機能によって、表示されているデータの内容を正確に表した数値を、線グラフ３３が表示された画面３１にグラフと対応付けて表示させるので、サンプリングが誤測定の可能性があるようなケースにおいても、ユーザは正しい値を認識できるようになる。
【００３８】
（第２実施形態）
図５は第２実施形態のプラントデータ表示装置の構成を示す図である。
図５に示すように、この第２実施形態のプラントデータ表示装置は、第１実施形態の位置読取部１７を、範囲読取部２４に変更したものであり、他の構成の機能は第１実施形態とほぼ同様であり同一の符号を付した構成についての説明は省略する。
【００３９】
範囲読取部２４は、マウス操作などにより指定されたグラフ画面上のエリアを確定し、その確定したエリアの位置情報をデータ検索部１５へ通知し、データ検索部１５がエリアの位置情報を用いてプラントデータ記憶部１６から読み出したプラントデータの中から、最小値・最大値を抽出し、表示制御部１３を通じて表示装置３へ出力し、図６に示すような表４２の形式で画面３１に表示させる。
【００４０】
表示制御部１３は、プラントデータ記憶部２１から読み出したプラントデータから線グラフを作成し表示装置３へ出力すると共に、範囲読取部２４から受け取ったエリアの位置情報（範囲情報）を基に、データ検索部１５によりプラントデータ記憶部１６から検索された、指示された範囲内にあるプラントデータの数値を、線グラフ３３上のサンプリング時刻の位置に対応させて出力する。
【００４１】
この第２実施形態の場合、ユーザによるマウスによるドラッグ操作による２点（左上角と右下角のポイント）の指示により、線グラフ３３上でエリア４１が指定（選択）されると、範囲読取部２４は、当該エリアを確定し、データ検索部１５へ通知する。
【００４２】
データ検索部１５は、通知されたエリア内のプラントデータをプラントデータ記憶部１６から読み出し、読み出したデータの中から、最小値・最大値の数値データを抽出し、表示制御部１３へ渡し、表示制御部１３から表示装置３へ出力される。
【００４３】
この結果、図６に示すように、表示装置３の画面３１に、指定エリア４１、線グラフ３３と共に、最小値・最大値の数値データが示された表４２がポップアップ表示される。表４２には、各グラフのナンバー（No.）毎に最小値・最大値の数値データが示される。
【００４４】
この例の場合、異なる複数のプラントデータそれぞれのグラフが複数表示されており、これらの情報を有効に利用するため、例えばユーザによりエリアが選択された場合に、範囲読取部２４は、エリア内のサンプリングポイントを、各グラフについてそれぞれ計算対象として決定し、データ検索部１５と統計情報計算部１８へ通知し、データ検索部１５は通知されたサンプリングポイントを用いて最小値・最大値を抽出し表示制御部１３へ出力する。
【００４５】
また、統計情報計算部１８は、通知された計算対象のサンプリングポイントを用いて、例えば平均値、標準偏差などの統計計算し、計算結果である統計情報を表示制御部１３へ出力する。
【００４６】
この結果、データ検索だけでなく統計情報を用いることで、表示制御部１３は、図７に示すように、最小値、最大値、平均値、標準偏差などの複数の項目を備えた表４３を作成し、表示装置３へ出力し表示する。
【００４７】
すなわち、この場合、数値データには、最大値、最小値の他に、平均値、標準偏差値が含まれる。なお線グラフ３３の種別によっては、最大値、最小値を示さずに、平均値、標準偏差値だけを表示してもよい。
【００４８】
この表４３には、表の幅および高さを変更するためのタブ４４が設けられている。各タブ４４には、表の横幅を縮めるためのボタン４４ａと表の高さを縮めるためのボタン４４ｂが設けられている。
【００４９】
但し、表示項目が多くなると、グラフが表示された画面３１上に占める表４３の割合が広すぎてしまい、画面３１の情報が読み取り難くなることが想定される。
【００５０】
そこで、図８に示すように、「最小値」の項目だけを示し、数値の表示欄４５ａを幅方向と高さ方向にそれぞれ伸縮自在であり、数値のうち「最小値」の項目だけを示し縮小された状態の表４５を作成してもよい。この場合、表４５には表の横幅を広げるためのボタン４７ａと表の高さを縮めるためのボタン４７ｂを設ける。
【００５１】
この例の表４５の場合、最小値の項目だけを示し縮小された状態で表示することにより、表の表示範囲を小さくすることができる。
【００５２】
この表４５には、表を縮小したまま、ユーザが表示したい項目の変更をするための表示項目変更ボタン４７ｃが設けられている。表示項目変更ボタン４７ｃは「最小値」の項目の両側に矢印「←」と矢印「→」の２つのボタンを設けたものであり、いずれかのボタンをクリック操作することで、次の項目が表示され、ユーザは、表示したい項目を選択することができる。
【００５３】
この表４５の例では、最小の項目数で表を表示したが、この他、表を縮小表示する場合、図９に示すように、「平均値」と「最大値」などの２つの項目を表示した表４８をデフォルトの設定とし、このデフォルトの状態から複数の項目を表示できるように、幅方向に表４８の幅を矢印の方向へ拡大・縮小するためのボタン４８ａ，４７ａを設けてもよい。
【００５４】
また、上記例では、表のサイズ変更をボタンで行ったが、ボタンではなく、例えばＷｉｎｄｏｗｓ（登録商標）におけるウィンドウのサイズ変更と同様に、マウスのドラッグ＆ドロップ操作によって表の枠自体を掴んで表の幅を変更するようにしてもよい。
【００５５】
図９の例では、表の横方向についての拡大・縮小の例について説明したが、高さ変更ボタン４７ｂにより、縦方向も必要なポイントを絞って表示させることができる。
【００５６】
このようにこの第２実施形態によれば、例えば、選択エリア内において、平均値、標準偏差、最小値、最大値を表示することで、値が異常なのかどうかを視覚的に判断することができ、ユーザが異常値を判定するのに役立つ。また、期間全体ではなく、選択エリア内での統計情報を表示できるため、局所的なエリアの問題解析に役立つ。
【００５７】
さらに、複数のグラフを表示した画面３１において、エリアが指定された場合、そのエリア内のグラフのポイントの数値を表形式で一覧表示するので、ユーザは、グラフの指定したエリアの数値を確認することができる。
【００５８】
また、数値を一覧表示した画面が大きすぎる場合に、ボタンやウィンドウの操作によって、ユーザが必要な情報を絞って表示するように、表示画面の広さに応じて、適度な広さの数値データの表を表示し、表示項目を合わせて操作することができる。
【００５９】
（第３実施形態）
図１０，図１１は第３実施形態の表示画面を示す図である。なおこの第３実施形態の構成は図１と同じである。
【００６０】
この第３実施形態の表示制御部１３は、例えば表の中のある数値の欄（セル）が指定された場合、数値の欄（セル）に対応する線グラフ３３上のポイントを強調表示する（図１０の二重丸（◎）５１参照）。
【００６１】
この第３実施形態の場合、図６に示した画面３１の状態から、マウス操作などにより、図１０に示すように、表４２内のあるセル、例えば「Ｎｏ．１」のグラフの「最小値」の項目のセル５０の数値「５．５」が選択されると、範囲読取部２４は、選択されたセル５０の数値「５．５」に対応する線グラフ３３上のポイントを点滅表示５１またはマーク表示するなどして、ユーザに対してグラフ上の数値の位置を通知する。
【００６２】
また、図１１に示すように、「平均値」、「標準偏差」などのような統計情報の計算値の、あるセル５２が選択された場合には、画面３１の対応する線グラフ３３にライン５３を引いて表示する。さらに、複数のセルが選択されると、「平均値」のライン５３の他に、「平均値」に対する「標準偏差」のライン５４を線グラフ３３に重ねて表示する。
【００６３】
このようにこの第３実施形態によれば、表４２の中からユーザが選択したセル５０の数値「５．５」に対応する線グラフ３３上のポイントを、点滅表示５１、マーク表示し、またライン５３，５４を表示するので、ユーザが注目している情報が、線グラフ３３上のどの位置に存在するのかを、視覚的に捕らえることができる。
【００６４】
（第４実施形態）
図１２〜図１４は第４実施形態の表示画面を示す図である。なおこの第４実施形態の構成は図１と同じである。
【００６５】
この第４実施形態の場合、図１２に示すように、図３に示した画面３１に、読取保存のボタン６１を付設する。読取保存のボタン６１は、選択操作されることにより、データ処理部２２が画面３１に現在表示されている数値を、線グラフ３３の指定位置に対応付けて表示履歴としてデータ記憶部２１に記憶（保存）する。
【００６６】
この第４実施形態の場合、画面３１に表示された数値は、データ処理部２２によって、種別情報記憶部２０に保存されている種別情報と関連付けられて読取統計データとしてデータ記憶部２１に保存される。
【００６７】
次回、この線グラフ３３の指定エリアの数値の保存内容を表示する際には、図１３に示す保存情報表示ボタン６２をクリック操作することで、前回表示した位置の数値がデータ記憶部２１から読み出されて前回同様に表示される。
【００６８】
この保存情報表示機能を応用し、例えば図１４に示すように、前回の保存内容６３（読取り範囲を指定したエリア５５と数値データの表５６）と今回の指定内容６４（読取り範囲を指定したエリア５７と数値データの表５８）を表示した場合に、新たに選択した今回のエリア５７の数値データ５８を読み取って前回保存した数値データ５６と共に表示することで、前回と今回の数値の比較など、ユーザは、サンプリング時間の異なる複数のデータを目で見て比較することができる。
【００６９】
このようにこの第４実施形態によれば、線グラフ３３と共に一度表示した指定エリアの数値を保存し読み出す機能を備えることで、前回と今回のデータの比較や同じ位置または異なる時刻のデータどうしの比較などが視覚的に容易にできる。
【００７０】
また、例えば蒸気タービンを用いた発電プラントにおいて、前回起動時のタービンシャフトの軸ブレなどを示す振動値の平均と今回起動時の平均とを比較することで、前回よりも今回の起動が優れていることなどを視覚的に捕らえることができる。また、異常データの発見などが容易になる。
【００７１】
（第５実施形態）
図１５は第５実施形態のプラントデータ表示装置の構成を示す図である。
図１５に示すように、この第５実施形態のプラントデータ表示装置は、第１実施形態の表示制御部１３の機能を表示制御部１３ａ，１３ｂというように複数に分けて、それぞれの表示制御部１３ａ，１３ｂに表示装置３ａ，３ｂを接続したものであり、他の構成の機能は第１実施形態とほぼ同様であり同一の符号を付した構成についての説明は省略する。
【００７２】
範囲読取部２４は、マウスなどにより指定された線グラフ３３の数値の読取り範囲を読み取り、データ検索部１５へ通知する。
【００７３】
表示制御部１３ａは、入力装置１によりグラフの表示が指示された場合、データ記憶部２１からグラフデータを読み出し、読み出したグラフデータを表示装置３ａへ出力し、表示装置３ａの画面３１ａ（図１７）に表示する。
【００７４】
表示制御部１３ｂは、データ検索部１５により検索された指定位置の数値データをプラントデータ記憶部１６から読み出し、読み出した数値データを表示装置３ｂへ出力し、表示装置３ｂの画面３１ｂ（図１６）に表示する。
【００７５】
すなわち、表示制御部１３ａは、線グラフ３３を表示装置３ａへ出力する機能を有し、表示制御部１３ｂは、線グラフ３３と保存データを表示装置３ｂへ出力する機能を有する。
【００７６】
上述した第４実施形態で、保存済みの数値（保存情報）を読み出して表示する上で複数のエリアのポイントが指定されていたときには、保存情報を表示するための表示エリアが広く必要となる。また、保存されている数値を読み出して表示した後に、さらにエリアを選択すると、画面上に表示される項目が非常に多くなり、ユーザとしては画面の情報が見難くなる。
【００７７】
そこで、このようなケースでは、図１５に示すように、ＰＣ２に複数の表示装置、例えば表示装置３ａと表示装置３ｂとを接続し、表示装置３ｂへは図１６の画面３１ｂを表示し、表示装置３ａへは図１７の画面３１ａを表示する。つまり複数の表示装置３ａ，３ｂに情報を分けて表示する。
【００７８】
この例では、表示装置３ｂへは、線グラフ３３、指定したポイントの点滅表示６６、各ポイントの数値の表（例えば表４５など）、前回と今回の読取り範囲を指定したエリア６５、６７などを出力（表示）する一方、表示装置３ａへは、線グラフ３３と今回の読取り範囲指定エリア６７のみを出力（表示）するものとし、点滅表示６６や数値の表４５などの出力（表示）は行わない。
【００７９】
つまり線グラフ３３とユーザが新たに指定した読取り範囲指定エリア６７は、両方の表示装置３ａ，３ｂの画面３１ａ，３１ｂにそれぞれ表示され、読取り範囲指定エリア６７の表示は、ユーザのマウス操作に伴いそれぞれの画面で同期される。
【００８０】
また、図１７の例に示すように、２画面と１画面の切り替えボタンである２画面切替ボタン６７を設け、これをユーザが操作することで、２画面表示と１画面表示との切り替えを行ってもよい。
【００８１】
このようにこの第５実施形態によれば、複数の線グラフ３３の複数のポイント（点滅表示６６の箇所）を表示した状態で、各ポイントの数値を比較する場合などは、画面上に表示すべき情報が多くなるがこのような場合、複数の画面に情報を分けて表示することで、ユーザが必要な情報を認識しやすく、異常値の発見や、性能の比較などが行い易くなる。
【００８２】
以上の実施形態によれば、サンプリングされたデータのうち、ユーザが指定したグラフ上の位置の正しいデータを表示できるプラントデータ表示装置を提供することができる。
【００８３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８４】
また上記実施形態に示した各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００８５】
１…入力装置、３，３ａ，３ｂ…表示装置、１３，１３ａ，１３ｂ…表示制御部、１５…データ検索部、１６…プラントデータ記憶部、１７…位置読取部、１８…統計情報計算部、１９…サンプリング周期計算部、２０…種別情報記憶部、２１…データ記憶部、２２…グラフ処理部、２４…範囲読取部。
【図１】
0005687615.tif 000002
【図２】
0005687615.tif 000003
【図３】
0005687615.tif 000004
【図４】
0005687615.tif 000005
【図５】
0005687615.tif 000006
【図６】
0005687615.tif 000007
【図７】
0005687615.tif 000008
【図８】
0005687615.tif 000009
【図９】
0005687615.tif 000010
【図１０】
0005687615.tif 000011
【図１１】
0005687615.tif 000012
【図１２】
0005687615.tif 000013
【図１３】
0005687615.tif 000014
【図１４】
0005687615.tif 000015
【図１５】
0005687615.tif 000016
【図１６】
0005687615.tif 000017
【図１７】
0005687615.tif 000018